(57)【特許請求の範囲】
【請求項１】
制御コマンドを送信して遊技を制御する制御手段と、
この制御手段から送信された制御コマンドに基づいて遊技状態に対応する音声を出力する音声出力手段と、
前記制御手段から送信された制御コマンドに基づいて、遊技状態に対応して発光手段を発光させる発光制御手段と、
前記制御手段から送信された制御コマンドに基づいて画像を表示する画像表示手段とを備えた遊技機において、
前記音声出力手段、発光制御手段および画像表示手段のうち少なくとも１つの手段へ動作電源を供給し、かつ、前記制御手段へ動作電源を供給可能な第１電源供給手段と、
前記音声出力手段、発光制御手段および画像表示手段のうち前記第１電源供給手段から動作電源が供給されない手段へ動作電源を供給し、かつ、前記制御手段へ動作電源を供給可能な第２電源供給手段と、を備えており、
前記制御手段は、通常は、前記第１および第２電源供給手段の一方から供給される動作電源によって動作し、前記一方が機能しなくなった場合に他方から供給される動作電源により動作することを特徴とする遊技機。
【発明の詳細な説明】
【０００１】
【産業上の利用分野】
この発明は、遊技機に電源を供給する手段の改良に関する。
【０００２】
【従来の技術】
従来、この種の遊技機として図４および図５に示すパチンコ機が知られている。図４は、従来のパチンコ機の主要構成を示す説明図であり、図５は、図４に示すパチンコ機の電源系統をブロックで示す説明図である。
図４に示すように、パチンコ機５００には、遊技枠５１３が備えられており、その遊技枠５１３の内部に遊技盤５０９が備えられている。パチンコ機５００に設けられた操作ハンドル５０１を操作して遊技盤５０９へ発射された遊技球が、第１種始動口５０２、あるいは、普通電動役物５０３の開放された両翼に入賞すると、図柄表示器５０４の画面上の横方向３個所において複数の特別図柄（たとえば、０〜９）が上下方向にスクロール表示される。そして、所定時間経過後に３個所に確定表示された３つの特別図柄が大当り図柄（たとえば、図４に示すような「７７７」）に揃うと大当りが発生し、扉式の開閉部材５０５が開作動し、大入賞口５０６が開口する。また、大当りが発生すると、図柄表示器５０４により、大当りの発生を祝う画像が表示され、ファンファーレなどが演奏され、コーナー飾り５１０、サイド飾り５１１および大入賞口飾り５１２に設けられた各種のＬＥＤが点滅するなどの演出が行われる。
そして、大入賞口５０６に遊技球が入賞すると、入賞球１個に付き、所定個数（たとえば、１５個）の賞球が上受け皿５０７に払出される。また、大入賞口５０６に入賞した入賞球の数が所定数（たとえば、１０個）に達するか、あるいは、大入賞口５０６が開口してから所定時間（たとえば、３０秒）経過するか、いずれかの条件が満たされると、開閉部材５０５が閉作動し、大入賞口５０６が閉口する。さらに、大入賞口５０６に入賞した遊技球が大入賞口５０６の内部に設けられた特定領域５０８を通過すると、大入賞口５０６が連続して開口する権利が発生する。このように、大入賞口５０６が開口してから閉口するまでを１ラウンドとし、遊技球が特定領域５０８を通過することを条件として、複数のラウンド（たとえば、１５ラウンド）の遊技を行うことができる。
【０００３】
図５に示すように、遊技枠５１３には、電源基板５３０と、発射モータ駆動装置５２７と、払出制御装置５２８とが取り付けられており、遊技枠５１３には制御基板５４０が着脱可能に備えられている。パチンコ機５００を新機種に交換する場合、遊技枠５１３は電源基板５３０が取り付けられたまま遊技場の設置個所に据え付けられた状態にしておき、制御基板５４０を新機種のものに交換する。電源基板５３０は、ＡＣ２４Ｖの主電源５２０から電源の供給を受けている。主電源５２０のＡＣ２４Ｖは、電源スイッチ５２１から過負荷保護回路５２２を介してＤＣ変換回路５２３に供給され、ＤＣ変換回路５２３においてＤＣ３２Ｖ、ＤＣ２４Ｖ、ＤＣ１２ＶおよびＤＣ５Ｖに変換される。ＤＣ３２Ｖは、給電線Ｌ２１を介して遊技枠５１３に備えられた発射モータ駆動装置５２７および払出制御装置５２８に供給され、給電線Ｌ２０を介して制御基板５４０に備えられた主制御装置５２９に供給される。発射モータ駆動装置５２７に供給されたＤＣ３２Ｖは、遊技球を発射する発射装置を駆動する発射モータの駆動電力として使用される。払出制御装置５２８に供給されたＤＣ３２Ｖは、賞球を払出す賞球払出モータの駆動電力として使用される。主制御装置５２９に供給されたＤＣ３２Ｖは、開閉部材５０５を開閉する大入賞口ソレノイドの駆動電力として使用される。
ＤＣ２４Ｖは、制御基板５４０に備えられた図柄制御装置５２４、音声制御装置５２５およびランプ制御装置５２６へ供給される。図柄制御装置５２４に供給されたＤＣ２４Ｖは、図柄表示器５０４の駆動電力として使用され、音声制御装置に供給されたＤＣ２４Ｖは、アンプの駆動電力として使用され、ランプ制御装置５２６に供給されたＤＣ２４Ｖは、ＬＥＤやランプの駆動電力として使用される。
ＤＣ１２Ｖは、払出制御装置５２８に接続された賞球払出センサ（賞球払出モータにより払出された賞球を検出するセンサ）、賞球切れスイッチおよび貸球切れスイッチ（図示省略）の駆動電力として使用され、主制御装置５２９に接続された第１種始動口スイッチ（第１種始動口５０２に入賞した遊技球を検出するスイッチ）および各種の入賞口スイッチ（入賞した遊技球を検出するスイッチ）などの駆動電力として使用される。
ＤＣ５Ｖは、各装置に備えられたマイクロプロセッサの動作電源として使用される。
【０００４】
【発明が解決しようとする課題】
しかし、前記従来のパチンコ機５００は、ＤＣ変換回路５２３から給電線Ｌ２０を介して各装置へ各種電圧の電源を供給するという構成であり、電源の供給系統が１系統であるため、ＤＣ変換回路５２３が故障すると、総ての装置の機能が停止してしまい、図柄も表示されないし、音も出ないし、ＬＥＤも点灯しないので、遊技の続行が不可能になってしまうという問題がある。
【０００５】
そこでこの発明は、電源供給系統の一部が機能停止した場合でも遊技の続行が可能な遊技機を実現することを目的とする。
【０００６】
【課題を解決するための手段・作用および効果】
この発明は、上記目的を達成するため、請求項１に記載の発明では、制御コマンドを送信して遊技を制御する制御手段と、この制御手段から送信された制御コマンドに基づいて遊技状態に対応する音声を出力する音声出力手段と、前記制御手段から送信された制御コマンドに基づいて、遊技状態に対応して発光手段を発光させる発光制御手段と、前記制御手段から送信された制御コマンドに基づいて画像を表示する画像表示手段とを備えた遊技機において、前記音声出力手段、発光制御手段および画像表示手段のうち少なくとも１つの手段へ動作電源を供給し、かつ、前記制御手段へ動作電源を供給可能な第１電源供給手段と、前記音声出力手段、発光制御手段および画像表示手段のうち前記第１電源供給手段から動作電源が供給されない手段へ動作電源を供給し、かつ、前記制御手段へ動作電源を供給可能な第２電源供給手段と、を備えており、前記制御手段は、通常は、前記第１および第２電源供給手段の一方から供給される動作電源によって動作し、前記一方が機能しなくなった場合に他方から供給される動作電源により動作するという技術的手段を用いる。
【０００７】
第１および第２電源供給手段の一方の電源供給手段が故障して機能しなくなり、その電源供給手段が動作電源を供給している手段が動作できなくなった場合であっても、他方の電源供給手段が動作電源を供給している方の手段が動作することができるため、電源供給手段の故障により、音声出力手段により音声も出ないし、発光手段も発光しないし、画像表示手段により画像も表示されないという事態を回避することができる。
また、制御手段は、第１および第２電源供給手段の一方が機能しなくなった場合であっても、他方から供給される動作電源により動作することができ、制御コマンドの送信を行うことができるため、その制御コマンドの送信先の手段により遊技を続行することができる。
例えば、第１電源供給手段が音声出力手段および発光制御手段へ動作電源を供給し、第２電源供給手段が画像表示手段へ動作電源を供給している場合に、第１電源供給手段が故障により動作電源を供給できなくなってしまった場合であっても、画像表示手段に動作電源を供給する第２電源供給手段は、上記故障とは関係ないため、画像表示手段に動作電源を供給することができるので、画像表示手段により画像を表示することができる。また、逆に、画像表示手段に動作電源を供給する第２電源供給手段が故障した場合であっても、音声制御手段により音声出力手段を制御することができるため、遊技状態に対応する音声を出力することができ、かつ、発光制御手段により発光手段を発光させることができる。
つまり、音声の出力および発光手段の発光、あるいは、画像の表示を行うことができるため、音声および発光、あるいは、画像の表示に基づいて遊技を続行することが可能である。
【００１２】
請求項１に記載の遊技機において、遊技盤に発射された遊技球が前記遊技盤の所定の領域を通過したことに基づいて賞球を払出す賞球払出手段と、この賞球払出手段へ動作電源を供給する第３電源供給手段とを備えたという技術的手段を用いることもできる。
【００１３】
賞球払出手段には、第３電源供給手段から動作電源を供給するため、第１および第２電源供給手段が故障により動作電源を供給できなくなってしまった場合であっても、賞球払出手段により賞球を払出すことができる。
つまり、第１および第２電源供給手段の故障により、賞球の払出しができなくなってしまい、遊技者に不測の不利益を及ぼすおそれがない。
【００１８】
請求項１に記載の遊技機において、遊技状態が遊技者に有利な遊技状態に変化した場合に、大入賞口を開閉する開閉手段と、この開閉手段へ動作電源を供給する第４電源供給手段とを備えたという技術的手段を用いることもできる。
【００１９】
開閉手段には、第４電源供給手段から動作電源を供給するため、第１および第２電源供給手段が故障により動作電源を供給できなくなってしまった場合であっても、開閉手段により大入賞口を開閉することができる。
つまり、第１および第２電源供給手段の故障により、大入賞口を開口できなくなってしまい、遊技者に不測の不利益を及ぼすおそれがない。
【００２８】
【発明の実施の形態】
以下、この発明に係る遊技機の実施形態について図を参照して説明する。なお、以下の実施形態では、この発明に係る遊技機として、いわゆる第１種パチンコ機を例に挙げて説明する。
［全体の主要構成］
まず、この実施形態のパチンコ機の主要構成について図１を参照して説明する。図１は、そのパチンコ機の外観を示す斜視説明図である。
パチンコ機１の外周には、遊技枠３が備えられており、その遊技枠３の前面には前枠２がヒンジ８を介して開閉可能に備えられており、その前枠２には、ガラス枠４が開閉可能に取付けられている。前枠２の右側には、ガラス枠４開閉用の鍵を差し込む鍵穴３が設けられている。ガラス枠４の内部には、遊技盤５が設けられており、前枠２の右側下方には、遊技球を遊技盤５へ発射する発射装置（図示省略）を操作するための発射ハンドル１５が回動可能に取付けられている。
ガラス枠４の下方には、賞球や貸球が供給される賞球・貸球供給口６ａが形成されており、この賞球・貸球供給口６ａの供給側には、その賞球・貸球供給口６ａから供給された賞球や貸球を溜めておくための上受け皿６が取り付けられている。上受け皿６の下方には、上受け皿６の収容可能数を超えて流下した賞球や上受け皿球抜きレバー６ｂの操作により上受け皿６から排出された遊技球などを排出する排出口７ａが形成されている。排出口７ａの排出側には、その排出口７ａから排出された遊技球を収容しておくための下受け皿７が設けられている。また、遊技盤５の上方には、枠ランプ９が設けられており、下受け皿７の左側には、灰皿７ｂが設けられている。
【００２９】
［遊技盤５の主要構成］
次に、遊技盤５の主要構成について図２を参照して説明する。図２は遊技盤５の主要構成を示す正面説明図でる。
遊技盤５の略中央には、センターケース３０が備えられている。センターケース３０には、天入賞口３１と、３個のＬＥＤからなる普通図柄表示装置３４と、この普通図柄表示装置３４の始動可能な回数を４個のＬＥＤにより表示する普通図柄記憶表示ＬＥＤ３５と、複数の特別図柄、背景画像、各種の演出画像などを液晶で表示する図柄表示器３２ａとが備えられている。図柄表示器３２ａは、複数の特別図柄からなる図柄列を画面の横方向の３個所においてそれぞれ上下方向に変動表示（スクロール表示ともいう）した後に、２個所において所定の特別図柄の確定表示を行う。なお、特別図柄の始動可能な回数として始動を保留している数（特別図柄始動記憶数）は、図柄表示器３２ａの画面に表示される。
センターケース３０の両側上方には、ＬＥＤにより装飾された装飾風車４６がそれぞれ設けられている。右側の装飾風車４６の右斜め下方には、遊技球の通過により普通図柄表示装置３４を作動させる機能を有する普通図柄作動右ゲート２５が設けられており、左側の装飾風車４６の左斜め下方には、同じ機能の普通図柄作動左ゲート２６が設けられている。センターケース３０の両側下方には、風車２４がそれぞれ設けられており、右側の風車２４の下方には、右入賞口１２が設けられており、左側の風車２４の下方には、左入賞口１３が設けられている。右入賞口１２の右方には、右袖入賞口２２が設けられており、左入賞口１３の左方には、左袖入賞口２３が設けられている。
【００３０】
センターケース３０の下方には、遊技球の入賞により図柄表示器３２ａに特別図柄を変動表示させる機能を有する第１種始動口２７が設けられており、この第１種始動口２７の下部には普通図柄表示装置３４の停止図柄が当たり図柄となった場合に両翼を開放する普通電動役物２８が設けられている。その両翼から遊技球が入賞すると、図柄表示器３２ａが特別図柄の変動表示を行う。
センターケース３０の下方には、図柄表示器３２ａの３個所の表示領域における確定図柄が大当り図柄となった場合に作動する変動入賞装置４０が設けられている。この変動入賞装置４０には、大当りの発生時に開放動作して大入賞口４１を開口する板状の開閉部材４３が扉式に開閉可能に取り付けられている。変動入賞装置４０の右側には、右下入賞口１４が設けられており、変動入賞装置４０の左側には、左下入賞口４４が設けられている。
また、変動入賞装置４０の内部には、開閉部材４３を連続して開放動作させる機能を有する特定領域（図示せず）と、この特定領域を通過した遊技球を検出する特定領域スイッチ（図示せず）が設けられている。
また、遊技盤５には、発射された遊技球を遊技領域へ案内するレール１６が取付けられており、遊技盤５の上部には、上部左右の両コーナーをＬＥＤなどにより装飾するコーナー飾り１１が設けられており、遊技盤５の左右には、ＬＥＤなどにより装飾されたサイド飾り２０がそれぞれ設けられている。さらに、変動入賞装置４０の下方には、入賞しなかった遊技球をアウト球として回収するアウト口４５が設けられている。そして、遊技盤５には、多くの釘（図示省略）が打ち込まれており、遊技盤５に発射された遊技球は、釘の間を乱舞しながら落下し、各入賞口や第１種始動口２７に入賞したり、普通図柄作動ゲート２５，２６を通過したり、あるいはアウト口４５から回収されたりする。
【００３１】
［パチンコ機１の電気的構成］
次に、パチンコ機１の主な電気的構成についてそれをブロックで示す図３を参照して説明する。
パチンコ機１には、パチンコ機の入れ替えの際に、入れ替えの対象になる制御基板１０が、入れ替えの対象にならない遊技枠３に対して着脱可能に設けられており、その制御基板１０には主基板１００が設けられている。なお、遊技枠３は、パチンコ機１の外周を構成する枠状の外枠と、パチンコ機１の裏側に設けられた裏セット機構板とを合わせた名称である。裏セット機構板には、球タンク、賞球払出ユニット、貸球ユニットおよび払出制御基板などが設けられている。
主基板１００には、次に記載するものが接続されている。図柄制御装置３２、音声制御装置７０、ランプ制御装置３００、大入賞口ソレノイド４１ｂ（開閉部材４３を開閉するためのソレノイド）、普通電動役物ソレノイド２８ａ（普通電動役物２８の両翼を開閉するためのソレノイド）、第１種始動口スイッチ２７ａ、各種入賞口スイッチ（右入賞口１２、左入賞口１３、右袖入賞口２２、左袖入賞口２３、右下入賞口１４、左下入賞口４４および大入賞口４１にそれぞれ入賞した遊技球を検出するスイッチ）、普通電動役物作動右ゲート２５を通過した遊技球を検出するゲートスイッチ２５ａ、普通図柄作動左ゲート２６を通過した遊技球を検出するゲートスイッチ２６ａ。
【００３２】
主基板１００には、マイクロプロセッサ（図示せず）が搭載されており、そのマイクロプロセッサは、図柄制御装置３２、音声制御装置７０、ランプ制御装置３００および払出制御基板２００の制御、入賞数のカウント、大当りか否かの決定、大入賞口ソレノイド４１ｂの制御、普通電動役物ソレノイド２８ａの制御などを実行する。
図柄制御装置３２にはマイクロプロセッサが備えられており、そのマイクロプロセッサは、主基板１００に搭載されたマイクロプロセッサから送信された制御コマンドに従って図柄表示器３２ａに表示する画像を制御する。音声制御装置７０にはマイクロプロセッサおよびアンプなどが備えられており、そのマイクロプロセッサは、主基板１００のマイクロプロセッサから送信された制御コマンドに従ってメロディーを作成し、その作成したメロディーに対応してアンプを駆動し、遊技枠３に設けられたスピーカ７１を駆動する。ランプ制御装置３００にはマイクロプロセッサが備えられており、そのマイクロプロセッサは、主基板１００のマイクロプロセッサから送信された制御コマンドに従って遊技盤５などに設けられた各種のＬＥＤの点灯・点滅を制御する。
【００３３】
遊技枠３には、遊技球を発射する発射装置を駆動する発射モータ１５ｅと、払出制御基板２００と、賞球の払出しを行う賞球払出モータ６２ｃと、賞球払出モータ６２ｃにより払出された賞球を検出する賞球払出センサ６２ａ，６２ｂとが設けられている。
払出制御基板２００には、発射モータ１５ｅと、賞球払出センサ６２ａ，６２ｂとが接続されている。払出制御基板２００にはマイクロプロセッサ（図示せず）が搭載されており、そのマイクロプロセッサは、主基板１００のマイクロプロセッサから送信された制御コマンドに従って賞球払出モータ６２ｃを制御し、賞球払出センサ６２ａ，６２ｂからの検出信号を取込んで賞球の未払い数を計数する。
【００３４】
遊技枠３には、他の機種にも使用することのできる電源生成回路Ａ〜Ｈがそれぞれ独立して備えられており、各電源生成回路は、遊技枠３の外部に備えられた主電源８０から給電線Ｌ４を介して電源の供給を受ける。主電源８０は、ＡＣ（交流）２４Ｖを各電源生成回路へ供給する。電源生成回路Ａは、主電源８０から供給されたＡＣ２４ＶをＤＣ（直流）２４ＶおよびＤＣ５Ｖに変換し、そのＤＣ２４Ｖを給電線Ｌ１を介して図柄制御装置３２へ供給し、そのＤＣ５Ｖを給電線Ｌ２を介して図柄制御装置３２のマイクロプロセッサへ供給し、さらにそのＤＣ５Ｖを給電線Ｌ３を介して主基板１００のマイクロプロセッサへ供給する。
【００３５】
電源生成回路Ｂは、主電源８０から供給されたＡＣ２４ＶをＤＣ２４ＶおよびＤＣ５Ｖに変換し、そのＤＣ２４Ｖを給電線Ｌ５を介して音声制御装置７０へ供給し、そのＤＣ５Ｖを給電線Ｌ６を介して音声制御装置７０のマイクロプロセッサへ供給し、さらにそのＤＣ５Ｖを給電線Ｌ７を介して主基板１００のマイクロプロセッサへ供給する。
電源生成回路Ｃは、主電源８０から供給されたＡＣ２４ＶをＤＣ２４ＶおよびＤＣ５Ｖに変換し、そのＤＣ２４Ｖを給電線Ｌ８を介してランプ制御装置３００へ供給し、そのＤＣ５Ｖを給電線Ｌ９を介してランプ制御装置３００のマイクロプロセッサへ供給し、さらにそのＤＣ５Ｖを給電線Ｌ１０を介して主基板１００のマイクロプロセッサへ供給する。
【００３６】
電源生成回路Ｄは、主電源８０から供給されたＡＣ２４ＶをＤＣ３２Ｖに変換し、そのＤＣ３２Ｖを給電線Ｌ１１を介して大入賞口ソレノイド４１ｂへ供給し、そのＤＣ３２Ｖを給電線Ｌ１２を介して普通電動役物ソレノイド２８ａへ供給する。
電源生成回路Ｅは、主電源８０から供給されたＡＣ２４ＶをＤＣ５Ｖに変換し、そのＤＣ５Ｖを給電線Ｌ１３を介して払出制御基板２００へ供給する。
電源生成回路Ｆは、主電源８０から供給されたＡＣ２４ＶをＤＣ３２Ｖに変換し、そのＤＣ３２Ｖを給電線Ｌ１４を介して発射モータ１５ｅへ供給する。
電源生成回路Ｇは、主電源８０から供給されたＡＣ２４ＶをＤＣ３２Ｖに変換し、そのＤＣ３２Ｖを給電線Ｌ１５を介して賞球払出モータ６２ｃへ供給する。
電源生成回路Ｈは、主電源８０から供給されたＡＣ２４ＶをＤＣ１２Ｖに変換し、そのＤＣ１２Ｖを給電線Ｌ１６を介して第１種始動口スイッチ２７ａ、各種入賞口スイッチ、ゲートスイッチ２５ａ，２６ａおよび賞球払出センサ６２ａ，６２ｂへ供給する。
【００３７】
また、主基板１００のマイクロプロセッサに供給されているＤＣ５Ｖは、通常、電源生成回路ＡないしＣの計３系統のうち、１系統から供給されており、電源生成回路ＡないしＣのうち、いずれかが故障して機能しなくなった場合に正常な他の２つの電源生成回路のうち、いずれかから供給される。さらに、電源生成回路ＡないしＣのうち、２つが故障して機能しなくなった場合には、正常な残りの電源生成回路から供給される。
たとえば、通常は、電源生成回路Ｃから主基板１００のマイクロプロセッサへＤＣ５Ｖが供給されており、電源生成回路Ｃが故障により機能しなくなった場合は、電源生成回路Ｂが主基板１００のマイクロプロセッサへＤＣ５Ｖを供給する。また、電源生成回路ＢおよびＣが故障により機能しなくなった場合は、電源生成回路Ａが主基板１００のマイクロプロセッサへＤＣ５Ｖを供給する。
以上のように、図柄制御装置３２、音声制御装置７０、ランプ制御装置３００、ソレノイド（４１ｂ，２８ａ）、払出制御基板２００、発射モータ１５ｅ、賞球払出モータ６２ｃおよびスイッチ類（２７ａ，２５ａ，２６ａ，６２ａ，６２ｂ）へは、それぞれ異なる電源生成回路ＡないしＨから電源が供給される。
【００３８】
［実施形態の効果］
（１）音声制御装置７０には電源生成回路Ｂから電源を供給し、ランプ制御装置３００には電源生成回路Ｃから電源を供給することができるため、電源生成回路Ｂが故障により音声制御装置７０へ電源を供給することができなくなってしまった場合であっても、電源生成回路Ｃは、電源生成回路Ｂとは独立しており、上記故障とは関係ないため、ランプ制御装置３００に電源を供給することができるので、ランプ制御装置３００により遊技状態に対応してＬＥＤやランプを点灯・点滅させることができる。また、逆に、電源生成回路Ｃが故障した場合であっても、音声制御装置７０によりスピーカ７１を駆動することができるため、遊技状態に対応する音声を出力することができる。
つまり、電源生成回路の故障により、音声も出ないし、ＬＥＤも発光しないという事態を回避することができ、音声の出力およびＬＥＤの発光の一方を行うことができるため、音声またはＬＥＤの発光に基づいて遊技を続行することが可能である。
【００３９】
（２）また、図柄制御装置３２には電源生成回路Ａから電源を供給し、音声制御装置７０には電源生成回路Ｂから電源を供給することができるため、電源生成回路Ｂが故障により音声制御装置７０へ電源を供給することができなくなってしまった場合であっても、電源生成回路Ａは、電源生成回路Ｂとは独立しており、上記故障とは関係ないため、図柄制御装置３２に電源を供給することができるので、図柄制御装置３２により特別図柄などを表示することができる。
特に、パチンコ機１のように、大当りかハズレかの抽選の結果が図柄表示器３２ａにより特別図柄として表示するパチンコ機の場合は、確定表示された特別図柄の種類により、多くの賞球を獲得できるか否かの運命が決定されてしまうため、電源の故障により図柄表示器３２ａの機能が停止してしまうと、遊技者に不測の不利益を及ぼしてしまう。
しかし、前記実施形態のパチンコ機１によれば、音声制御装置７０へ電源を供給する電源生成回路Ｂの故障によっては、図柄制御装置３２の機能は停止しないため、上記のように、遊技者に不測の不利益が及ぶおそれはない。
また、逆に、図柄制御装置３２に電源を供給する電源生成回路Ａが故障した場合であっても、音声制御装置７０によりスピーカ７１を駆動することができるため、遊技状態に対応する音声を出力することができる。
【００４０】
（３）図柄制御装置３２には電源生成回路Ａから電源を供給し、音声制御装置７０には電源生成回路Ｂから電源を供給し、ランプ制御装置３００には電源生成回路Ｃから電源を供給することができるため、画像の表示、音声出力およびＬＥＤの発光のうち、いずれか１つを行うことができなくたった場合であっても、残る２つにより遊技を続行することが可能である。
また、画像の表示、音声出力およびＬＥＤの発光のうち、いずれか２つを行うことができなくたった場合であっても、残る１つにより遊技を続行することが可能である。
（４）払出制御基板２００には電源生成回路Ｅから電源を供給し、賞球払出モータ６２ｃには電源生成回路Ｇから電源を供給するため、電源生成回路ＡないしＣが故障により電源供給ができなくなってしまった場合であっても、賞球を払出すことができる。
つまり、一部の電源生成回路の故障により、賞球の払出しができなくなってしまい、遊技者に不測の不利益を及ぼすおそれがない。
【００４１】
（５）大入賞口ソレノイド４１ｂおよび普通電動役物ソレノイド２８ａには電源生成回路Ｄから電源を供給するため、電源生成回路ＡないしＣが故障により電源供給ができなくなってしまった場合であっても、開閉部材４３を開閉動作させて大入賞口４１を開閉することができるし、普通電動役物２８の両翼を開閉することができる。
つまり、一部の電源生成回路の故障により、大入賞口４１が開口されず、遊技者に不測の不利益を及ぼすおそれがない。
（６）スイッチ類（２７ａ，２５ａ，２６ａ，６２ａ，６２ｂ）には電源生成回路Ｈから電源を供給するため、電源生成回路ＡないしＧが故障により電源供給ができなくなってしまった場合であっても、スイッチ類を作動させることができるので、スイッチ類が遊技球を検出しないことにより、遊技者に不測の不利益を及ぼすおそれがない。
（７）各電源生成回路ＡないしＨは、パチンコ機１を入れ替える際に遊技場の設置個所に据え付けられた状態にしておくことが可能な遊技枠３に備えられており、かつ、他の機種と共通して使用可能であるため、パチンコ機１を入れ替える毎に各電源生成回路を新たに製造する必要がない分、パチンコ機の製造コストを低減することができる。
【００４２】
＜他の実施形態＞
（１）図柄制御装置３２および音声制御装置７０へそれぞれ異なる電源生成回路から電源を供給し、それら以外へは単一の電源生成回路から電源を供給するように構成することもできる。この構成によれば、一方の電源生成回路の機能が停止した場合であっても、画像表示および音声出力の一方により遊技を続行することが可能となる。
（２）図柄制御装置３２およびランプ制御装置３００へそれぞれ異なる電源生成回路から電源を供給し、それら以外へは単一の電源生成回路から電源を供給するように構成することもできる。この構成によれば、一方の電源生成回路の機能が停止した場合であっても、画像表示およびＬＥＤの発光の一方により遊技を続行することが可能となる。
【００４３】
（３）音声制御装置７０およびランプ制御装置３００へそれぞれ異なる電源生成回路から電源を供給し、それら以外へは単一の電源生成回路から電源を供給するように構成することもできる。この構成によれば、一方の電源生成回路の機能が停止した場合であっても、音声出力およびＬＥＤの発光の一方により遊技を続行することが可能となる。
（４）電源生成回路ＡないしＨを制御基板１０に設けることもできる。
（５）電源生成回路ＡないしＨは、遊技枠３を構成する裏セット機構板に設けることもできるし、遊技枠３を構成する外枠に設けることもできる。また、遊技枠３と共に入れ替えの対象にならない幕板３ａに電源生成回路ＡないしＨを設けることもできる。また、遊技枠３および幕板３ａ以外でも、パチンコ機を入れ替える際に入れ替えの対象にならないものがあれば、それに電源生成回路ＡないしＨを設けることもできる。たとえば、上受け皿や下受け皿などが入れ替えの対象にならない場合は、それらの一方または両方に電源生成回路ＡないしＨを設けることもできる。
（６）上記実施形態では、この発明に係る遊技機として第１種パチンコ機を例に挙げて説明したが、この発明は、第２種パチンコ機または第３種パチンコ機、あるいは、第１種ないし第３種パチンコ機の２つ以上を組み合わせたパチンコ機、さらには、スロットマシンにも適用することができる。
【００４４】
［各請求項と実施形態との対応関係］
主基板１００に搭載されたマイクロプロセッサが、請求項１に記載の制御手段に対応し、音声制御装置７０およびスピーカ７１が音声出力手段に対応する。ＬＥＤが発光手段に対応し、ランプ制御装置３００が発光制御装置に対応する。電源生成回路ＡないしＨが、第１および第２電源供給手段に対応する。
図柄制御装置３２および図柄表示器３２ａが、請求項１に記載の画像表示手段に対応する。払出制御基板２００および賞球払出モータ６２ｃが、第１２段落に記載の賞球払出手段に対応する。大入賞口ソレノイド４１ｂが第１８段落に記載の開閉手段に対応する。
【図面の簡単な説明】
【図１】この発明に係る実施形態のパチンコ機の外観を示す斜視説明図である。
【図２】図１に示すパチンコ機１に備えられた遊技盤５の主要構成を示す正面説明図である。
【図３】パチンコ機１の主な電気的構成をブロックで示す説明図である。
【図４】従来のパチンコ機の主要構成を示す説明図である。
【図５】図５に示すパチンコ機の電源系統をブロックで示す説明図である。
【符号の説明】
１    パチンコ機（遊技機）
３    遊技枠
３２    図柄制御装置（画像表示手段）
３２ａ  図柄表示器（画像表示手段）
４１ｂ  大入賞口ソレノイド（開閉手段）
７０    音声制御装置（音声出力手段）
７１    スピーカ（音声出力手段）
６２ｃ  賞球払出モータ（賞球払出手段）
２００    払出制御基板（賞球払出手段）
３００    ランプ制御装置（発光制御装置）
Ａ〜Ｈ    電源生成回路（第１および第２電源供給手段）
【図１】
0003934986.tif 000002
【図２】
0003934986.tif 000003
【図３】
0003934986.tif 000004
【図４】
0003934986.tif 000005
【図５】
0003934986.tif 000006